(57)【要約】【課題】再生中のコンテンツデータに基づくユーザの次のコンテンツデータに対する嗜好を簡易に入力し、その嗜好を反映させたコンテンツデータを取得する。【解決手段】再生装置１０は、コンテンツデータを再生するコンテンツ再生部１２と、コンテンツ再生部１２がコンテンツデータを再生中に、所定の再生操作に関するグラフィカルユーザインターフェースに対応付けて嗜好の入力を受け付ける嗜好受付部１３２と、嗜好受付部１３２が受け付けた嗜好を示す嗜好情報をコンテンツ配信装置２０に送信する嗜好情報送信部１５と、コンテンツ配信装置２０が、嗜好情報を受信したことに応じて送信する、コンテンツデータを受信するコンテンツ受信部１１とを備える。【選択図】図１
2015122641.tif 000002
【特許請求の範囲】
【請求項１】
コンテンツデータを再生するコンテンツ再生部と、
前記コンテンツ再生部が前記コンテンツデータを再生中に、所定の再生操作に関するグラフィカルユーザインターフェースに対応付けて嗜好の入力を受け付ける嗜好受付部と、
前記嗜好受付部が受け付けた嗜好を示す嗜好情報をコンテンツ配信装置に送信する嗜好情報送信部と、
前記コンテンツ配信装置が、前記嗜好情報を受信したことに応じて送信する、コンテンツデータを受信するコンテンツ受信部と、
を備える再生装置。
【請求項２】
前記コンテンツ再生部が前記コンテンツデータを再生中に、前記コンテンツデータに対する評価の入力を受け付ける評価受付部と、
前記評価受付部が受け付けた評価を示す評価情報を前記コンテンツ配信装置に送信する評価情報送信部と、
をさらに備える請求項１記載の再生装置。
【請求項３】
前記嗜好受付部は、スキップフォアワード操作に関するグラフィカルユーザインターフェースに対応付けて嗜好の入力を受け付ける、
請求項１または請求項２いずれか記載の再生装置。
【請求項４】
コンピュータを、
コンテンツデータを再生するコンテンツ再生手段、
前記コンテンツ再生部が前記コンテンツデータを再生中に、所定の再生操作に関するグラフィカルユーザインターフェースに対応付けて嗜好の入力を受け付ける嗜好受付手段、
前記嗜好受付部が受け付けた嗜好を示す嗜好情報をコンテンツ配信装置に送信する嗜好情報送信手段、
前記コンテンツ配信装置が、前記嗜好情報を受信したことに応じて送信する、コンテンツデータを受信するコンテンツ受信手段、
として機能させるための再生プログラム。
【請求項５】
コンテンツデータを配信するコンテンツ配信装置と、前記コンテンツデータを受信して前記コンテンツデータを再生する再生装置とを含むコンテンツ配信システムであって、
前記再生装置は、
コンテンツデータを再生中に、所定の再生操作に関するグラフィカルユーザインターフェースに対応付けて嗜好の入力を受け付ける嗜好受付部と、
前記嗜好受付部が受け付けた嗜好を示す嗜好情報を、前記コンテンツ配信装置に送信する嗜好情報送信部と、
前記コンテンツデータを再生中に、前記コンテンツデータに対する評価の入力を受け付ける評価受付部と、
前記評価受付部が受け付けた評価を示す評価情報を、前記コンテンツ配信装置に送信する評価情報送信部と、
を備え、
前記コンテンツ配信装置は、
複数のコンテンツデータを記憶するコンテンツ記憶部と、
再生中のコンテンツデータに基づいてコンテンツデータの推薦処理を実行し、前記再生中のコンテンツデータに関連する所定数のコンテンツデータを前記コンテンツ記憶部から抽出するコンテンツ推薦部と、
前記評価情報送信部が送信した評価情報を受信する評価情報受信部と、
前記評価情報受信部が受信した前記評価情報と前記再生中のコンテンツデータとに基づいて、ユーザ嗜好情報を生成するユーザ嗜好生成部と、
前記嗜好情報送信部が送信した嗜好情報を受信する嗜好情報受信部と、
前記嗜好情報受信部が受信した前記嗜好情報と前記ユーザ嗜好生成部が生成した前記ユーザ嗜好情報とに基づいて、前記コンテンツ推薦部が抽出した前記所定数のコンテンツデータから一つのコンテンツデータを選択するコンテンツ選択部と、
前記コンテンツ選択部が選択した前記コンテンツデータを前記再生装置に送信するコンテンツ送信部と、
を備える、
コンテンツ配信システム。
【発明の詳細な説明】
【技術分野】
【０００１】
本発明は、再生装置、再生プログラム、およびコンテンツ配信システムに関する。
【背景技術】
【０００２】
多数の楽曲の中から、再生中の楽曲に対する複数のレコメンド楽曲（推薦楽曲）を抽出し、これら複数のレコメンド楽曲を順次再生するオーディオ再生装置が知られている（例えば、特許文献１参照）。
【先行技術文献】
【特許文献】
【０００３】
【特許文献１】特開２００９−１８１６４４号公報
【発明の概要】
【発明が解決しようとする課題】
【０００４】
しかしながら、再生中の楽曲を聴取している聴取者による次の楽曲に対する嗜好を簡易に入力し、その嗜好を反映させたレコメンド楽曲の再生に切り替える技術は知られていない。
本発明は、上記事情に鑑みてなされたものであり、再生中のコンテンツデータに基づくユーザ（視聴者）の次のコンテンツデータに対する嗜好を簡易に入力し、その嗜好を反映させたコンテンツデータを取得することができる、再生装置、再生プログラム、およびコンテンツ配信システムを提供することを目的とする。
【課題を解決するための手段】
【０００５】
［１］上記の課題を解決するため、本発明の一態様である再生装置は、コンテンツデータを再生するコンテンツ再生部と、前記コンテンツ再生部が前記コンテンツデータを再生中に、所定の再生操作に関するグラフィカルユーザインターフェースに対応付けて嗜好の入力を受け付ける嗜好受付部と、前記嗜好受付部が受け付けた嗜好を示す嗜好情報をコンテンツ配信装置に送信する嗜好情報送信部と、前記コンテンツ配信装置が、前記嗜好情報を受信したことに応じて送信する、コンテンツデータを受信するコンテンツ受信部と、を備える。
［２］上記［１］記載の再生装置において、前記コンテンツ再生部が前記コンテンツデータを再生中に、前記コンテンツデータに対する評価の入力を受け付ける評価受付部と、前記評価受付部が受け付けた評価を示す評価情報を前記コンテンツ配信装置に送信する評価情報送信部と、をさらに備える。
［３］上記［１］または［２］いずれか記載の再生装置において、前記嗜好受付部は、スキップフォアワード操作に関するグラフィカルユーザインターフェースに対応付けて嗜好の入力を受け付ける。
［４］上記の課題を解決するため、本発明の一態様である再生プログラムは、コンピュータを、コンテンツデータを再生するコンテンツ再生手段、前記コンテンツ再生部が前記コンテンツデータを再生中に、所定の再生操作に関するグラフィカルユーザインターフェースに対応付けて嗜好の入力を受け付ける嗜好受付手段、前記嗜好受付部が受け付けた嗜好を示す嗜好情報をコンテンツ配信装置に送信する嗜好情報送信手段、前記コンテンツ配信装置が、前記嗜好情報を受信したことに応じて送信する、コンテンツデータを受信するコンテンツ受信手段、として機能させる。
［５］上記の課題を解決するため、本発明の一態様であるコンテンツ配信システムは、コンテンツデータを配信するコンテンツ配信装置と、前記コンテンツデータを受信して前記コンテンツデータを再生する再生装置とを含むコンテンツ配信システムであって、前記再生装置は、コンテンツデータを再生中に、所定の再生操作に関するグラフィカルユーザインターフェースに対応付けて嗜好の入力を受け付ける嗜好受付部と、前記嗜好受付部が受け付けた嗜好を示す嗜好情報を、前記コンテンツ配信装置に送信する嗜好情報送信部と、前記コンテンツデータを再生中に、前記コンテンツデータに対する評価の入力を受け付ける評価受付部と、前記評価受付部が受け付けた評価を示す評価情報を、前記コンテンツ配信装置に送信する評価情報送信部と、を備え、前記コンテンツ配信装置は、複数のコンテンツデータを記憶するコンテンツ記憶部と、再生中のコンテンツデータに基づいてコンテンツデータの推薦処理を実行し、前記再生中のコンテンツデータに関連する所定数のコンテンツデータを前記コンテンツ記憶部から抽出するコンテンツ推薦部と、前記評価情報送信部が送信した評価情報を受信する評価情報受信部と、前記評価情報受信部が受信した前記評価情報と前記再生中のコンテンツデータとに基づいて、ユーザ嗜好情報を生成するユーザ嗜好生成部と、前記嗜好情報送信部が送信した嗜好情報を受信する嗜好情報受信部と、前記嗜好情報受信部が受信した前記嗜好情報と前記ユーザ嗜好生成部が生成した前記ユーザ嗜好情報とに基づいて、前記コンテンツ推薦部が抽出した前記所定数のコンテンツデータから一つのコンテンツデータを選択するコンテンツ選択部と、前記コンテンツ選択部が選択した前記コンテンツデータを前記再生装置に送信するコンテンツ送信部と、を備える。
【発明の効果】
【０００６】
本発明によれば、再生中のコンテンツデータに基づくユーザの次のコンテンツデータに対する嗜好を簡易に入力し、その嗜好を反映させたコンテンツデータを取得することができる。
【図面の簡単な説明】
【０００７】
【図１】本発明の実施形態である再生装置を適用したコンテンツ配信システムの機能構成図である。
【図２】再生装置のコンテンツ再生部がコンテンツデータを再生しているときの表示部の表示画面の例を示す図である。
【図３】嗜好受付メニューボタンの詳細を説明するための図である。
【図４】コンテンツ配信システムの処理手順を示すフローチャートである。
【発明を実施するための形態】
【０００８】
以下、本発明を実施するための形態について、図面を参照して詳細に説明する。
図１は、本発明の実施形態である再生装置を適用したコンテンツ配信システムの機能構成図である。同図に示すように、コンテンツ配信システム１は、再生装置１０とコンテンツ配信装置２０とを含む。再生装置１０はユーザ（視聴者）側の装置であり、コンテンツ配信装置２０は、コンテンツ配信事業者側の装置である。実際は、コンテンツ配信装置２０には、多数の再生装置１０がネットワークを介して接続されるが、同図は、１台の再生装置１０とコンテンツ配信装置２０との関係における機能構成を示したものである。
【０００９】
図１に示すように、再生装置１０は、コンテンツ受信部１１と、コンテンツ再生部１２と、操作部１３と、評価情報送信部１４と、嗜好情報送信部１５とを備える。再生装置１０は、例えば、スマートフォン、タブレット、ゲーム機等の携帯情報通信端末により実現される。
【００１０】
コンテンツ受信部１１は、コンテンツ配信装置２０がストリーミング送信するコンテンツデータを受信し、このコンテンツデータをコンテンツ再生部１２に供給する。コンテンツデータは、高能率符号化されたストリームデータである。コンテンツデータは、例えば、オーディオコンテンツデータ（ミュージックコンテンツデータ、楽曲コンテンツデータ）、ビデオコンテンツデータ、静止画コンテンツデータである。本実施形態では、コンテンツデータがオーディオコンテンツデータである場合を例として、説明する。
【００１１】
コンテンツ再生部１２は、コンテンツ受信部１１が供給するコンテンツデータを取り込んで復号し、この復号コンテンツデータを操作部１３の操作にしたがって再生する。
【００１２】
操作部１３は、Ｃｅｎｔｒａｌ  Ｐｒｏｃｅｓｓｉｎｇ  Ｕｎｉｔ（ＣＰＵ）が表示部に表示させる、グラフィカルユーザインターフェース（Ｇｒａｐｈｉｃａｌ  Ｕｓｅｒ  Ｉｎｔｅｒｆａｃｅ；ＧＵＩ）による複数のアイコン（ｉｃｏｎ）である。なお、図１には、ＣＰＵおよび表示部を図示していない。
【００１３】
操作部１３は、評価受付部１３１と、嗜好受付部１３２とを含む。評価受付部１３１は、コンテンツ再生部１２がコンテンツデータを再生中に、このコンテンツデータに対する評価の入力を受け付ける。嗜好受付部１３２は、コンテンツ再生部１２がコンテンツデータを再生中に、所定の再生操作に関するＧＵＩに対応付けて嗜好の入力を受け付ける。操作部１３の具体例については、後述する。
【００１４】
評価情報送信部１４は、評価受付部１３１が受け付けた評価を示す評価情報を、ユーザ識別情報に対応付けて送信する。ユーザ識別情報は、再生装置１０のユーザの識別情報である。
嗜好情報送信部１５は、嗜好受付部１３２が受け付けた嗜好を示す嗜好情報を、ユーザ識別情報に対応付けて送信する。
【００１５】
コンテンツ配信装置２０は、コンテンツ記憶部２１と、評価情報受信部２２と、ユーザ嗜好生成部２３と、嗜好情報受信部２４と、コンテンツ推薦部２５と、コンテンツ選択部２６と、コンテンツ送信部２７とを備える。
【００１６】
コンテンツ記憶部２１は、複数のコンテンツ情報を記憶する。コンテンツ情報は、コンテンツ識別情報と、コンテンツデータと、メタ情報と、音響特徴量とを関係付けたデータである。コンテンツ識別情報は、コンテンツデータを識別する情報である。メタ情報は、コンテンツデータに関連する情報であり、例えば、コンテンツデータの制作者名、アーティスト名、タイトル名、ジャンル、制作年、制作国、概要等の情報である。音響特徴量は、コンテンツデータの音響解析処理を行うことにより得られた特徴量データである。例えば、音響特徴量は、ビート、パワー、基本周波数、スペクトル等の情報である。コンテンツ記憶部２１、例えば、磁気ハードディスク装置または半導体記憶装置により実現される。
【００１７】
評価情報受信部２２は、再生装置１０の評価情報送信部１４が送信したユーザ識別情報および評価情報を受信し、これらユーザ識別情報および評価情報をユーザ嗜好生成部２３に供給する。
ユーザ嗜好生成部２３は、ユーザごとにユーザ嗜好情報を生成して記憶する。具体的に、ユーザ嗜好生成部２３は、評価情報受信部２２が供給するユーザ識別情報および評価情報を取り込み、コンテンツ記憶部２１から現在再生中（ストリーミング中）のコンテンツデータの音響特徴量を取り込む。そして、ユーザ嗜好生成部２３は、評価情報に応じた評価点を音響特徴量に付与し、この評価点が付与された音響特徴量（被評価音響特徴量と呼ぶ。）とユーザ識別情報とを関係付けて記憶する。ユーザ嗜好情報は、評価点が大きいほどコンテンツデータに対する評価が高いことを示している。
【００１８】
嗜好情報受信部２４は、再生装置１０の嗜好情報送信部１５が送信したユーザ識別情報および嗜好情報を取り込み、これらユーザ識別情報および嗜好情報をコンテンツ選択部２６に供給する。
【００１９】
コンテンツ推薦部２５は、現在再生中のコンテンツデータの音響特徴量（ソース音響特徴量と呼ぶ。）と、そのコンテンツデータに関係付けられたメタ情報（ソースメタ情報と呼ぶ。）とを、コンテンツ記憶部２１から読み込み、ソース音響特徴量およびソースメタ情報に基づいて、コンテンツ記憶部２１に記憶されたコンテンツデータについてコンテンツデータの推薦処理を実行し、所定数のコンテンツデータ（関連コンテンツデータと呼ぶ。）を抽出する。推薦処理（レコメンド処理）は、公知の技術を適用して実現することができる。
【００２０】
具体的に、例えば、コンテンツ推薦部２５は、ソース音響特徴量に類似する音響特徴量を有する複数のコンテンツデータをコンテンツ記憶部２１から抽出する。そして、コンテンツ推薦部２５は、抽出した複数のコンテンツデータそれぞれに関連付けられたメタ情報とソースメタ情報との類似度（例えば、コサイン類似度）を計算することによって、類似度が大きい順に所定数の関連コンテンツデータを抽出する。そして、コンテンツ推薦部２５は、類似度が大きい順に、所定数の関連コンテンツデータそれぞれの音響特徴量をコンテンツ選択部２６に供給する。
【００２１】
コンテンツ選択部２６は、嗜好情報受信部２４が供給するユーザ識別情報および嗜好情報と、ユーザ嗜好生成部２３に記憶されたユーザ嗜好情報とに基づいて、コンテンツ推薦部２５が抽出した所定数の関連コンテンツデータから一つのコンテンツデータを選択する。具体的に、コンテンツ選択部２６は、嗜好情報受信部２４から供給されたユーザ識別情報に関係付けられた一つまたは複数の被評価音響特徴量をユーザ嗜好生成部２３から読み込み、コンテンツ推薦部２５から関連コンテンツデータの音響特徴量を順次読み込む。そして、コンテンツ選択部２６は、例えば、評価点が高く且つ被評価音響特徴量と音響特徴量とのマッチング度合が強い音響特徴量であって、嗜好情報受信部２４が供給する嗜好情報が示す嗜好に適合する一つの関連コンテンツデータの音響特徴量を選択する。
【００２２】
コンテンツ送信部２７は、コンテンツ選択部２６が選択したコンテンツデータをコンテンツ記憶部２１から読出し、そのコンテンツデータを再生装置１０にストリーミング送信する。具体的に、コンテンツ送信部２７は、コンテンツ選択部２６が選択した音響特徴量に関係付けられたコンテンツデータをコンテンツデータ記憶部２１から読出し、そのコンテンツデータを再生装置１０にストリーミング送信する。
【００２３】
図２は、再生装置１０のコンテンツ再生部１２がコンテンツデータを再生しているときの表示部の表示画面の例を示す図である。同図は、再生装置１０がスマートフォンである場合の例である。同図に示すように、表示画面２は、操作ＧＵＩ３を含む。操作ＧＵＩ３は、各種ＧＵＩボタンを含む。具体的に、例えば、操作ＧＵＩ３は、下向評価入力ボタン３１と、上向評価入力ボタン３２と、再生／一時停止ボタン３３と、スキップバックボタン３４と、スキップフォアワードボタン３５とを含む。
【００２４】
下向評価入力ボタン３１は、再生中のコンテンツデータに対する評価として、低評価（下向評価、不良評価）を入力させるためのＧＵＩボタンである。下向評価入力ボタン３１がタップされることにより、操作部１３の嗜好受付部１３２は、低評価を受け付ける。なお、下向評価入力ボタン３１がタップされることにより、コンテンツ再生部１２にコンテンツデータの再生を停止させ、コンテンツ配信装置２０に次のコンテンツデータの再生要求を送信させるようにしてもよい。
上向評価入力ボタン３２は、再生中のコンテンツデータに対する評価として、高評価（上向評価、良評価）を入力させるためのＧＵＩボタンである。上向評価入力ボタン３２がタップされることにより、操作部１３の嗜好受付部１３２は、高評価を受け付ける。
下向き評価入力ボタン３１および上向き評価入力ボタン３２は、評価受付部１３１である。
【００２５】
再生／一時停止ボタン３３は、コンテンツデータの再生を開始させたり、再生を一時停止させたりするためのＧＵＩボタンである。例えば、コンテンツデータが再生されている状態で再生／一時停止ボタン３３が１回タップされると、コンテンツ再生部１２は、コンテンツデータの再生を一時停止させる。コンテンツデータが一時停止している状態で再生／一時停止ボタン３３が１回タップされると、コンテンツ再生部１２は、コンテンツデータの再生を開始する。
【００２６】
スキップバックボタン３４は、複数のコンテンツデータの直列の並びにおいて、逆方向に次のコンテンツデータを選択するためのＧＵＩボタンである。
【００２７】
スキップフォアワードボタン３５は、複数のコンテンツデータの直列の並びにおいて、順方向に次のコンテンツデータを選択するためのＧＵＩボタンである。スキップフォアワードボタン３５がタップまたは長押しされると、図２に示すように嗜好受付メニューボタン４が表示される。嗜好受付メニューボタン４が表示される場所は任意であり、例えば、スキップフォアワードボタン３５の上側（図２参照）や、スキップフォアワードボタン３４に重ねた位置である。嗜好受付メニューボタン４は、嗜好受付部１３２である。つまり、嗜好受付メニューボタン４は、スキップフォアワードボタン３５に対応付けて嗜好の入力を受け付ける。
【００２８】
図３は、嗜好受付メニューボタン４の詳細を説明するための図である。同図に示すように、嗜好受付メニューボタン４は、次曲ボタン４１と、第１の嗜好ボタン４２と、第２の嗜好ボタン４３と、第３の嗜好ボタン４４と、第４の嗜好ボタン４５とを含む。
【００２９】
次曲ボタン４１は、スキップフォアワード（次曲再生）を行うためのＧＵＩボタンである。スキップフォアワードボタン３５がタッチされて嗜好受付メニューボタン４が表示されると、次曲ボタン４１が選択された状態となる、この状態でタッチしている指を離すことにより、操作部１３は、次曲ボタン４１がタップされたことを検出する。
【００３０】
第１の嗜好ボタン４２は、例えば、現在再生中のコンテンツデータに対して「早いテンポ」というユーザの嗜好を入力するためのＧＵＩボタンである。嗜好受付メニューボタン４が表示された状態で、指を右方向にフリックすることにより、嗜好受付部１３２は、第１の嗜好ボタン４２が選択されて「早いテンポ」という嗜好が入力されたことを検出する。
【００３１】
第２の嗜好ボタン４３は、例えば、現在再生中のコンテンツデータに対して「遅いテンポ」というユーザの嗜好を入力するためのＧＵＩボタンである。嗜好受付メニューボタン４が表示された状態で、指を左方向にフリックすることにより、嗜好受付部１３２は、第２の嗜好ボタン４３が選択されて「遅いテンポ」という嗜好が入力されたことを検出する。
【００３２】
第３の嗜好ボタン４４は、例えば、現在再生中のコンテンツデータに対して「活気がある曲調」というユーザの嗜好を入力するためのＧＵＩボタンである。嗜好受付メニューボタン４が表示された状態で、指を上方向にフリックすることにより、嗜好受付部１３２は、第３の嗜好ボタン４４が選択されて「活気がある曲調」という嗜好が入力されたことを検出する。
【００３３】
第４の嗜好ボタン４５は、例えば、現在再生中のコンテンツデータに対して「静かな曲調」というユーザの嗜好を入力するためのＧＵＩボタンである。嗜好受付メニューボタン４が表示された状態で、指を下方向にフリックすることにより、嗜好受付部１３２は、第４の嗜好ボタン４５が選択されて「静かな曲調」という嗜好が入力されたことを検出する。
【００３４】
なお、嗜好ボタンは、図３の例に限らず、現在再生中のコンテンツデータに対するユーザの嗜好を表すものが適宜適用できる。
【００３５】
次に、本実施形態であるコンテンツ配信システム１の動作について説明する。
図４は、コンテンツ配信システム１の処理手順を示すフローチャートである。
まず、再生装置１０の動作について説明する。再生装置１０は、コンテンツ配信装置２０からストリーミング送信されたコンテンツデータを受信し再生しているものとする。
ステップＳ１において、操作部１３の嗜好受付部１３２が嗜好の入力を受け付けると、ステップＳ２において、嗜好情報送信部１５が、嗜好受付部１３２が受け付けた嗜好を示す嗜好情報を、ユーザ識別情報に対応付けて送信する。
【００３６】
次に、ステップＳ３において、コンテンツ受信部１１は、後述するステップＳ２４の処理においてコンテンツ配信装置２０がストリーミング送信するコンテンツデータを受信し、このコンテンツデータをコンテンツ再生部１２に供給する。
次に、ステップＳ４において、コンテンツ再生部１２は、コンテンツ受信部１１が供給するコンテンツデータを取り込んで復号し、この復号コンテンツデータに再生を切り替える。
【００３７】
次に、コンテンツ配信装置２０の動作について説明する。コンテンツ配信装置は、再生装置１０から要求されたコンテンツデータをその再生装置１０に対してストリーミング送信しているものとする。
ステップＳ２１において、現在再生中（ストリーミング送信中）のコンテンツデータのソース音響特徴量と、そのコンテンツデータに関係付けられたソースメタ情報とを、コンテンツ記憶部２１から読み込み、ソース音響特徴量およびソースメタ情報に基づいて、コンテンツ記憶部２１に記憶されたコンテンツデータについてコンテンツデータの推薦処理を実行し、所定数の関連コンテンツデータを抽出する。
【００３８】
次に、ステップＳ２２において、嗜好情報受信部２４は、ステップＳ２の処理において再生装置１０の嗜好情報送信部１５が送信した、ユーザ識別情報および嗜好情報を取り込み、これらユーザ識別情報および嗜好情報をコンテンツ選択部２６に供給する。
【００３９】
次に、ステップＳ２３において、コンテンツ選択部２６は、嗜好情報受信部２４が供給するユーザ識別情報および嗜好情報と、ユーザ嗜好生成部２３に記憶されたユーザ嗜好情報とに基づいて、コンテンツ推薦部２５が抽出した所定数の関連コンテンツデータから一つのコンテンツデータを選択する。
【００４０】
次に、ステップＳ２４において、コンテンツ送信部２７は、コンテンツ選択部２６が選択したコンテンツデータをコンテンツ記憶部２１から読出し、そのコンテンツデータを再生装置１０にストリーミング送信する。次に、ステップＳ２１の処理に戻す。
【００４１】
以上、詳述したように、本発明の実施形態である再生装置１０は、コンテンツデータを再生するコンテンツ再生部１２と、コンテンツ再生部１２がコンテンツデータを再生中に、所定の再生操作に関するグラフィカルユーザインターフェースに対応付けて嗜好の入力を受け付ける嗜好受付部１３２と、嗜好受付部１３２が受け付けた嗜好を示す嗜好情報をコンテンツ配信装置２０に送信する嗜好情報送信部１５と、コンテンツ配信装置２０が嗜好情報を受信したことに応じて送信する、コンテンツデータを受信するコンテンツ受信部１１とを備える。
この構成により、再生装置１０は、再生中のコンテンツデータに基づくユーザの次のコンテンツデータに対する嗜好を簡易に入力し、その嗜好を反映させたコンテンツデータを取得することができる。
【００４２】
また、再生装置１０は、コンテンツ再生部１２がコンテンツデータを再生中に、このコンテンツデータに対する評価の入力を受け付ける評価受付部１３１と、評価受付部１３１が受け付けた評価を示す評価情報をコンテンツ配信装置２０に送信する評価情報送信部１４とをさらに備えてもよい。
この構成により、再生中のコンテンツデータに対するユーザの評価を簡易に受け付け、その評価情報をコンテンツ配信装置２０に供給することができる。
【００４３】
また、嗜好受付部１３２は、スキップフォアワード操作に関するＧＵＩに対応付けて嗜好の入力を受け付けてもよい。
この構成により、ユーザは、次のコンテンツを選択するような操作で、自己の嗜好を入力し、その嗜好を次のコンテンツに反映させることができる。
【００４４】
なお、上述した実施形態である再生装置１０の一部の機能をコンピュータで実現するようにしてもよい。この場合、その制御機能を実現するための再生プログラムをコンピュータ読み取り可能な記録媒体に記録し、この記録媒体に記録された再生プログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記の再生プログラムは、前述した機能の一部を実現するためのものであってもよく、さらに、前述した機能をコンピュータシステムにすでに記録されているプログラムとの組み合わせにより実現するものであってもよい。
【００４５】
また、コンテンツ配信装置２０の一部の機能をコンピュータで実現するようにしてもよい。この場合、その制御機能を実現するためのプログラムをコンピュータ読み取り可能な記録媒体に記録し、この記録媒体に記録されたプログラムをコンピュータシステムに読み込ませて、このコンピュータシステムが実行することにより、当該機能を実現してもよい。
【００４６】
以上、本発明の実施の形態について図面を参照して詳述したが、具体的な構成はその実施形態に限られるものではなく、本発明の要旨を逸脱しない範囲の設計等も含まれる。
【符号の説明】
【００４７】
１…コンテンツ配信システム、１０…再生装置、１１…コンテンツ受信部、１２…コンテンツ再生部、１３…操作部、１４…評価情報送信部、１５…嗜好情報送信部、２０…コンテンツ配信装置、２１…コンテンツ記憶部、２２…評価情報受信部、２３…ユーザ嗜好生成部、２４…嗜好情報受信部、２５…コンテンツ推薦部、２６…コンテンツ選択部、２７…コンテンツ送信部、１３１…評価受付部、１３２…嗜好受付部
【図１】
2015122641.tif 000003
【図２】
2015122641.tif 000004
【図３】
2015122641.tif 000005
【図４】
2015122641.tif 000006